(57)【要約】【課題】使用者が意識し過ぎることなく、筆記時における筆圧の反力を減少させ、ペン先に掛かる負担と手に掛かる負担とを軽減させることが可能なボールペンを得る。【解決手段】軸筒２の内部に、前方にペン先３０を有したレフィル３が配設され、前記軸筒２の内面に、該軸筒２の軸線に対して平行な内側面２１ａと当該軸筒２の軸線に対して垂直な平面２１ｂとが形成され、前記内側面２１ａと前記平面２１ｂとに接触するようゲル状弾性体４が配設され、前記ゲル状弾性体４の前端面４ｃに、該ゲル状弾性体４の前端面４ｃより小径な前記レフィル３の後端面３ａが当接されることを特徴としたボールペン１。【選択図】図１
2017119405.tif 000002
【特許請求の範囲】
【請求項１】
軸筒の内部に、前方にペン先を有したレフィルが配設され、前記軸筒の内面に、該軸筒の軸線に対して平行な内側面と当該軸筒の軸線に対して垂直な平面とが形成され、前記内側面と前記平面とに接触するようゲル状弾性体が配設され、前記ゲル状弾性体の前端面に、該ゲル状弾性体の前端面より小径な前記レフィルの後端面が当接されることを特徴としたボールペン。
【発明の詳細な説明】
【技術分野】
【０００１】
本発明は、軸筒の内部にレフィルを配設したボールペンに関する。
【背景技術】
【０００２】
従来より、筆記具では、書き心地の良さが重要視されており、書き心地の一つとして、筆圧による疲労の軽減が考えられている。筆記具の中でもボールペンは、ペン先として金属製のボールと該ボールを回転自在に保持させたチップが使用されており、そのペン先をインキタンクに装着したレフィルが軸筒に対して直接固定され、前記ペン先に掛かる筆圧の反力が直接使用者の手に伝わることから、書き心地の向上が特に検討されている。
【０００３】
例えば、特許文献１及び特許文献２には、インキタンクと軸筒との間に弾性体を配設して、使用者の手に伝わる力を軽減させる構造が提案されている。前記二つの文献に記載されたボールペンによれば、使用者が強い力でペン先を紙面に接触させた場合でも、弾性体がその力を軽減させることが可能となる。
【０００４】
尚、前記特許文献１に記載のボールペンでは、インキタンク（芯）と軸筒後部に装着されたキャップとの間にコイルスプリング（バネ）を配設してある。このコイルスプリングを弾性体として用いた場合には、筆記時における筆圧の変化が、瞬時にペン先の前後動や手に伝わる感触につながっていた。
また、前記特許文献２に記載のボールペンでは、インキタンク（芯部）と軸筒後部に装着されたキャップとの間にゴムを配設してある。このゴムを弾性体として用いた場合には、筆記時における筆圧の変化が、前記特許文献１のボールペンと同様、瞬時にペン先の前後動や手に伝わる感触につながっていた。
【０００５】
ところで、前記特許文献１及び前記特許文献２に記載されているように、インキタンクと軸筒との間に弾性体を配設したボールペン構造では、書き味を変化させると共に、ペン先に掛かる筆圧の反力を、弾性体へ逃がすことができることから、ペン先の摩耗が軽減できるという効果を得ることも可能であった。しかしながら、筆圧の変化が瞬時に反応するボールペンは、その瞬時に反応する状況を意識し過ぎてしまい、使用者が筆記に集中できなくなる場合があった。
【先行技術文献】
【特許文献】
【０００６】
【特許文献１】実開昭４９−４６８２７号公報
【特許文献２】実開昭４８−１１９３１号公報
【発明の概要】
【発明が解決しようとする課題】
【０００７】
本発明はこうした事実に鑑み、使用者が意識し過ぎることなく、筆記時における筆圧の反力を減少させ、ペン先に掛かる負担と手に掛かる負担とを軽減させることが可能なボールペンを得ることを目的とした。
【課題を解決するための手段】
【０００８】
本発明は、
「軸筒の内部に、前方にペン先を有したレフィルが配設され、前記軸筒の内面に、該軸筒の軸線に対して平行な内側面と当該軸筒の軸線に対して垂直な平面とが形成され、前記内側面と前記平面とに接触するようゲル状弾性体が配設され、前記ゲル状弾性体の前端面に、該ゲル状弾性体の前端面より小径な前記レフィルの後端面が当接されることを特徴としたボールペン。」である。
【０００９】
本発明のボールペンによれば、筆記時に使用者が受ける筆圧の反力は、レフィルの後方に配設されたゲル状弾性体によって軽減され、その際の筆圧の変化による反応は、ゲルの特性により緩やかなものとなる。これにより使用者は、筆圧の変化時における反応を意識し過ぎることなく、筆記を行うことができる。
【００１０】
尚、ゲル状弾性体は、その硬度が柔らかいものであった方が、筆圧の変化が瞬時に反応しない構造となり易いが、この場合には、ゲル状弾性体の側面及び後端面を軸筒の内側面及び平面に接触させると共に、ゲル状弾性体の前端面に、ゲル状弾性体の前端面より小径なレフィルの後端面を当接させることで、ゲル状弾性体の変形方向を前方のみに制御することが肝要である。ゲル状弾性体が軸筒の巾方向（軸線に対して垂直な方向）にも変形可能であった場合には、筆記時にレフィルを介してゲル状弾性体に筆圧が掛かった際に、ペン先に掛かる負担と手に掛かる負担とを軽減させること以上にゲル状弾性体が変形して筆記し難くなることがある。
【００１１】
本発明によるボールペンでは、筆記時における筆圧の反力をレフィルに当接したゲル状弾性体によって減少させることができることから、ペン先の摩耗を軽減させることができ、その効果は、インキ粘度が高く、ボール及び該ボールを回転自在に保持させたチップに対して負担が掛かり難い油性ボールペン用インキよりも、インキ粘度が低い水性ボールペン用インキ、あるいは剪断減粘性が付与された水性ボールペン用インキを使用したボールペンにおいて、特に効果が得られる。また、ボール径が０．５ｍｍ以下であるボールペンの場合にも、ボール及びチップに負担が掛かり易いことから、特に高い効果を得ることができる。
【発明の効果】
【００１２】
本発明では、使用者が意識し過ぎることなく、筆記時における筆圧の反力を減少させ、ペン先に掛かる負担と手に掛かる負担とを軽減させることが可能なボールペンを得ることができた。
【図面の簡単な説明】
【００１３】
【図１】本実施例のボールペンの縦断面図である。
【図２】図１に要部拡大断面図である。
【図３】筆記時に筆圧が掛かった状態を示す要部拡大断面図である。
【発明を実施するための形態】
【００１４】
以下、図面を参照して本実施例のボールペンについて説明をする。本実施例では、剪断減粘性が付与された水性ボールペン用インキを使用したボールペンについて説明を行うが、本発明は前記インキに限定されるものではない。
本実施例では、ペン体がある方を前方と表現し、その反対側を後方と表現する。尚、説明を分かり易くするために、図面中の同様の部材、同様の部分については同じ符号を付してある。
【００１５】
以下、図１及び図２を用いて本実施例のボールペンについて説明を行う。
ボールペン１は、軸筒２が軸筒本体２０の後部に尾冠２１を螺合して形成され、前記軸筒２の内部にレフィル３を配設してある。軸筒２は、前方に先細り形状の先口部２ａを有し、当該先口部２ａに形成した開口部２ｂからペン先３０を突出させている。前記レフィル３は、インキ（図示せず）を収容したインキタンク３１の前方に前記ペン先３０を装着してあり、インキタンク３１の後方に尾栓３２を装着してあり、インキタンク３１の後方部の側面には、該インキタンク３１に収容したインキ（図示せず）の減少に伴い、当該インキタンク３１内に空気を吸入させるための空気孔３１ａを設けてある。尚、本実施例のペン先３０は、ステンレスで形成した直径０．３８ｍｍのボール３０ａと、該ボール３０ａを回転自在に保持させたチップ３０ｂとで構成してある。
【００１６】
前記軸筒２は、尾冠２１の内方に、該軸筒２の軸線に対して平行な内側面２１ａと当該軸筒２の軸線に対して垂直な平面２１ｂとが形成されている。また、前記尾冠２１の内方には、ゲル状弾性体４を装着してある。尚、本実施例のゲル状弾性体４は、株式会社コスモ計器製コスモスーパーゲル（アスカー硬度：４度）を使用して形成した。
本実施例では、ゲル状弾性体４の外径を８ｍｍとし、高さ（前後方向の長さ）を１０ｍｍで形成してあり、尾冠２１の内径を８ｍｍとし、尾冠２１の内側壁２１ａの高さ（前後方向の長さ）を１７ｍｍで形成してある。尾冠２１にゲル状弾性体４を装着した状態においては、ゲル状弾性体４の外側面４ａが尾冠２１の内側面２１ａに接触し、ゲル状弾性体４の後端面４ｂが尾冠２１の平面２１ｂに接触して、ゲル状弾性体４の位置が規定される。
また、ゲル状弾性体４の外径８ｍｍである前端面４ｃに対し、レフィル３の直径６ｍｍである後端面３ａ（尾栓３２）が当接することから、ゲル状弾性体４の前端面４ｃの前方には、径方向の巾が１ｍｍである円環状の空間部Ｋが形成されており、後述されるように、ゲル状弾性体４が圧縮変形した際に、当該ゲル状弾性体４の前方縁部４ｄが膨出できる空間としてある。
【００１７】
本実施例のボールペンの組み立てについて簡単に説明を行うと、本実施例のボールペン１は、レフィル３を軸筒本体２０の内部に、該軸筒本体２０の後方開口２０ａより該レフィル３のペン先３０側から挿着させ、ゲル状弾性体４を尾冠２１の内部に、該尾冠２１の前方開口２１ｃより該ゲル状弾性体４の後端面４ｂ側から挿着させた状態にした上で、当該軸筒本体２０と当該尾冠２１とを螺合させることで完成した。
図１に示したように、レフィル３は、前方に形成した外段３ｂが、軸筒本体２０の前方内面に形成した内段２０ｂに当接し、後端面３ａが、尾冠２１に装着されたゲル状弾性体４の前端面４ｃに当接することで、前後方向の位置決めがされる。
【００１８】
次に、図３を用いて、本実施例のボールペンを使用した状態について説明を行う。
図３は、筆記時に筆圧が掛かった状態を示す要部拡大断面図である。図３に示すように、筆圧の反力Ｔによりレフィル３は後方へ移動し、レフィル３の後端面３ａがゲル状弾性体４を圧縮することで、後方及び側方が尾冠２１により規制されたゲル状弾性体４は、空間部Ｋ内に前方縁部４ｄが膨出するように圧縮変形される。このゲル状弾性体４の変形は、筆圧が強いほど空間部Ｋ内に前方縁部４ｄが突出され、また、ゲル状弾性体４が圧縮変形される際には筆圧に応じて反応するが、筆圧が弱まった際にゲル状弾性体４がその弾力で復元する際は、ゲルの特性により緩やかに反応することから、使用者はその反応状況を気にすることなく筆記を行うことができた。
また、本実施例のボールペン１は、ボール３０ａの直径が０．３８ｍｍと小さく、使用しているボールペン用インキも水性であり、ペン先３０にとって負担が掛かる状況であったが、ボール３０ａ及び該ボール３０ａを回転自在に保持させたチップ３０ｂ共に、摩耗を軽減することができた。
【符号の説明】
【００１９】
１…ボールペン、
２…軸筒、
２ａ…先口部、２ｂ…開口部、
２０…軸筒本体、
２０ａ…後方開口、２０ｂ…内段、
２１…尾冠、
２１ａ…内側面、２１ｂ…平面、２１ｃ…前方開口、
３…レフィル、
３ａ…後端面、３ｂ…外段、
３０…ペン先、
３０ａ…ボール、３０ｂ… チップ、
３１…インキタンク、
３１ａ…空気孔、
３２…尾栓、
４…ゲル状弾性体、
４ａ…外側面、４ｂ…後端面、４ｃ…前端面、４ｄ…前方縁部、
Ｋ…空間部。
【図１】
2017119405.tif 000003
【図２】
2017119405.tif 000004
【図３】
2017119405.tif 000005